(57)【特許請求の範囲】
【請求項１】
エアレーション機械のタインホルダーに取り付けられるホールドピンの挿入軸部がサイドオープンタイン本体の上部に挿入され、この挿入部にサイドオープンタイン本体の側部より連結ピンが貫通され、サイドオープンタイン本体をホールドピンに着脱可能に連結するエアレーション機械のサイドオープンタインに於いて、前記ホールドピンにホールドピンに設けた貫通孔内に突出する下方に付勢された突起が設けられ、前記連結ピンの軸部に前記突起が嵌入する凹部が設けられ、この凹部の底部から軸部の円周方向に向け軸部の外周面に通じるガイド溝が設けられると共に、軸部の先端に前記突起と係合するガイド面が形成されていることを特徴とする土壌改良用エアレーション機械のサイドオープンタインとホールドピンの連結構造。
【請求項２】
凹部の底部から軸部の先方に向け軸部の外周面に通じるガイド溝が設けられていることを特徴とする請求項１記載の土壌改良用エアレーション機械のサイドオープンタインとホールドピンの連結構造。
【発明の詳細な説明】
【０００１】
【発明の属する技術分野】
本発明は、ゴルフ場や公園等において、芝面の土壌改良をし、芝の育成を図るために使用する土壌改良用エアレーション機械のサイドオープンタインに係り、詳しくはサイドオープンタインをホールドピンに着脱可能に連結するための連結構造に関するものである。
【０００２】
【従来の技術】
従来の土壌改良用エアレーション機械のサイドオープンタインの構造は、図９に示すように、パイプ状のサイドオープンタイン本体１１と、サイドオープンタイン本体１１を機械本体のタインホルダーに着脱可能に取り付けるホールドピン１２と、サイドオープンタイン本体１１をホールドピン１２に着脱自在に連結する連結ピン１３と、連結ピン１３の脱却を防止するスプリングピン１０より成り、サイドオープンタイン本体１１は土抜き用の長孔１１Ｂの上方位置に連結ピン１３が貫通するピン挿通孔１１Ｄが穿設され、ホールドピン１２はサイドオープンタイン本体１１に挿入する挿入軸部１２Ｃを有し、挿入軸部１２Ｃの側部に連結ピン１３の貫通孔１２Ｅが穿設されると共に、挿入軸部１２Ｃの先端が傾斜面１２Ｄに形成され、傾斜面１２Ｄはサイドオープンタイン本体１１の長孔１１Ｂの上端部１１Ｃと同一平面に形成され、前記連結ピン１３にスプリングピン１０のピン孔１３Ｃが設けられていた。
【０００３】
そして、サイドオープンタイン本体１１のホールドピン１２への連結は、ホールドピン１２の挿入軸部１２Ｃをサイドオープンタイン本体１１の上部より挿入し、サイドオープンタイン本体１１のピン挿通孔１１Ｄよりホールドピン１２の貫通孔１２Ｅに連結ピン１３を挿通した後、連結ピン１３のピン孔１３Ｃにスプリングピン１０を挿通して連結ピン１３を固定し、ホールドピン１２とサイドオープンタイン本体１１を着脱自在に連結していた。
【０００４】
【発明が解決しようとする課題】
サイドオープンタインは消耗が激しく、小型機であっても、１０数本以上のサイドオープンタインを装着し、約半日乃至１日毎に新品と交換しなければならない。しかし、サイドオープンタインの交換に上記のように連結ピンを挿通した後、連結ピンの固定にスプリングピンを止着していると、その着脱にかなりの時間を要するのである。
又、スプリングピンが作業時、砂の跳ね上げによる摩擦により切断し、連結ピンが抜け落ちることもある。
【０００５】
上記点より本発明は、消耗品であるサイドオープンタインの交換が容易で、かつ短時間で安全に交換作業が可能となる土壌改良用エアレーション機械のサイドオープンタインとホールドピンの連結構造を提供しようとするものである。
【０００６】
【課題を解決するための手段】
上記課題を解決するため本発明構造は、エアレーション機械のタインホルダーに取り付けられるホールドピンの挿入軸部がサイドオープンタイン本体の上部に挿入され、この挿入部にサイドオープンタイン本体の側部より連結ピンが貫通され、サイドオープンタイン本体をホールドピンに着脱可能に連結するエアレーション機械のサイドオープンタインに於いて、前記ホールドピンにホールドピンに設けた貫通孔内に突出する下方に付勢された突起が設けられ、前記連結ピンの軸部に前記突起が嵌入する凹部が設けられ、この凹部の底部から軸部の円周方向に向け軸部の外周面に通じるガイド溝が設けられると共に、軸部の先端に前記突起と係合するガイド面が形成されていることを特徴とすものである。
【０００７】
又、前記凹部の底部から軸部の先方に向け軸部の外周面に通じるガイド溝を設けることもできる。
【０００８】
上記構成を有する本発明は、サイドオープンタイン本体のホールドピンの連結は、ホールドピンの挿入軸部をサイドオープンタイン本体の上部より挿入し、この挿入部にサイドオープンタイン本体の側方よりホールドピンの貫通孔に連結ピンを挿通し、サイドオープンタイン本体をホールドピンに着脱可能に連結するのであるが、貫通孔内に連結ピンを凹部が上側になるように挿入すれば、連結ピンの先端に設けたガイド面が突起に係合し、連結ピンを更に押し込み、軸部の外周面に突起が触れると突起は付勢力に抗して貫通孔より引っ込むから、連結ピンをそのまま更に押し込み、連結ピンの凹部の位置が突起の位置と合致すると、突起は下方に付勢されているため突出して凹部内に嵌入し、連結ピンは固定される。
【０００９】
そして、連結ピンを脱却する時は、連結ピンの凹部の底部から軸部の円周方向に向け軸部の外周面に通じるガイド溝が設けてあるため、突起がガイド溝に沿うように連結ピンを回動すれば、凹部からガイド溝に係合し、軸部の外周面に至ると突起は付勢力に抗して引っ込むから、この位置で連結ピンを引き抜くことができる。
【００１０】
次に、ガイド溝を凹部の底部から軸部の先方に向け軸部の外周面に通じるように設けた場合は、貫通孔内に連結ピンを凹部が上側になるように挿入すれば、前同様連結ピンの斜面から軸部の外周面に至ると突起は付勢力に抗して貫通孔より引っ込む。
そして、連結ピンを更に押し込めば、今度は突起は軸部の外周面のガイド溝に係合し、徐々に付勢力で突出し、凹部内に嵌入し連結ピンは固定される。
【００１１】
そして、連結ピンを脱却する時は、連結ピンを引けば凹部からガイド溝へと突起は係合して徐々に引っ込み、連結ピンの軸部の外周面に至ると突起は付勢力に抗して引っ込むから、連結ピンを引き抜くことができる。
【００１２】
このように、連結ピンの装着は連結ピンを押し込むだけで固定され、又連結ピンの脱却は連結ピンを回動或いは引くだけでよいから、連結ピンはその着脱がワンタッチで行えるものである。
【００１３】
【発明の実施の形態】
以下、本発明の一実施の形態を図面に基づき説明する。
図１は本発明構造のサイドオープンタイン本体とホールドピンの連結した状態を示す部分断面図、図２は同上の連結途中を示す部分断面図、図３はサイドオープンタインをタインホルダーに取り付けた状態を示す正面図、図４はサイドオープンタインとタインホルダーを分離した正面図、図５は請求項１の連結ピンの斜視図、図６は同上の拡大断面図、図７は請求項２の連結ピンの断面図である。
【００１４】
而して、サイドオープンタイン本体１はパイプ材の先端を肉薄することにより円形の刃先１Ａを先端に形成すると共に、側部に土抜き用長孔１Ｂが形成されている。
又、土抜き用長孔１Ｂの上下両端部１Ｃは斜面となっている。そして土抜き用長孔１Ｂより上方位置でサイドオープンタイン本体１の周側面に、ホールドピン２とサイドオープンタイン本体１を着脱可能に連結する連結ピン３のピン挿通孔１Ｄが穿設されている。
ピン挿通孔１Ｄは土抜き用長孔１Ｂより上方位置であれば、図面のように土抜き用長孔１Ｂと同一面側でなくて側面側でもよい。
【００１５】
ホールドピン２は頭部である取り付け軸部２Ａ、中間の鍔部２Ｂ、下部の挿入軸部２Ｃからなる丸棒状部材であり、取り付け軸部２Ａは機械本体のタインホルダー４に螺子止め等により取り付けられる。
挿入軸部２Ｃの外径はサイドオープンタイン本体１の内径に適合する幅となっている。
【００１６】
挿入軸部２Ｃの下端は傾斜面２Ｄに形成されており、傾斜面２Ｄはサイドオープンタイン本体１の土抜き用長孔１Ｂの上端部１Ｃより少なくとも下方に位置するように挿入される。又挿入軸部２Ｃの側部に連結ピン３の貫通孔２Ｅが穿設されている。
貫通孔２Ｅは挿入軸部２Ｃをサイドオープンタイン本体１に挿入した場合に、サイドオープンタイン本体１のピン挿通孔１Ｄの位置と合致する。
【００１７】
又、ホールドピン２の取り付け軸部２Ａの上面から貫通孔２Ｅ近くに向け縦孔２Ｆが穿設され、この縦孔２Ｆは内径に螺溝２Ｇが刻設されると共に、縦孔２Ｆに連続して縦孔２Ｆの底部から貫通孔２Ｅに連通する縦孔２Ｆより小径の連通孔２Ｈが設けられている。
【００１８】
縦孔２Ｆ内の下部に下向きにピン５が設けられると共に、縦孔２Ｆの上部に螺溝２Ｇに螺合するスプリング押え兼用調整ナット６が設けられ、この調整ナット６とピン５の頭部５Ａ間にピン５を常時下方へ付勢するコイルバネ７が介在されている。
ピン５の軸部５Ｂは連通孔２Ｈに挿通され、その先端はコイルバネ７の付勢力で連通孔２Ｈより貫通孔２Ｅ内に突起５Ｃとして突出している。
突起５Ｃの先端は丸く形成されている。付勢力の調整はナット６を回動することにより行う。
付勢手段は他の弾力性あるものを介在させてもよく、例えばクレタンゴム等でもよい。
【００１９】
連結ピン３は頭部３Ａ及び軸部３Ｂに形成され、サイドオープンタイン本体１に挿入されたホールドピン２とサイドオープンタイン本体１を連結するもので、サイドオープンタイン本体１の一方のピン挿通孔１Ｄよりホールドピン２の貫通孔２Ｅに挿入され、他方のピン挿通孔１Ｄより軸部３Ｂの先方部が突出する。
【００２０】
連結ピン３の軸部３Ｂに、連結ピン３を貫通孔２Ｅに挿入した時に貫通孔２Ｅ内に突出する突起５Ｃの該当位置に突起５Ｃが嵌入する凹部３Ｃが設けられている。
この凹部３Ｃの底部から軸部３Ｂの円周方向に向けて延びた軸部３Ｂの外周面に通じるガイド溝３Ｄが形成されている（図５及び図６）。
図面では、ガイド溝３Ｄは片側方向へのみ形成されているが、勿論両方向へ形成することができる。
【００２１】
又、ガイド溝３Ｄを凹部３Ｃの底部から軸部３Ｂの先方に向けて延び、軸部３Ｂの外周面に通じるように形成することもできる（図７）。
又、軸部３Ｂの先端に連結ピン３の貫通孔２Ｅへの挿入途中に貫通孔２Ｅ内に突出する突起５Ｃに係合する前方傾斜したガイド面３Ｅが形成されている。
尚、連結ピン３の頭部側面に設けた貫通孔３Ｆは操作具を差し込み連結ピン３を回動するためであり、必要によって設けることができる。
又、図８のように連結ピン３は軸部３Ｂの先端を先細のガイド面３Ｅに形成し、頭部は指で回動できるよう大型に形成した操作摘３Ｇとすることもできる。
【００２２】
【発明の効果】
本発明によれば、サイドオープンタイン本体とホールドピンの連結は、サイドオープンタイン本体の挿通孔よりホールドピンの貫通孔へ連結ピンを押し込むだけで固定され、連結ピンの脱却は連結ピンを回動或いは引くだけでよいから、サイドオープンタイン本体の交換はワンタッチで容易かつ短時間で行えるものであって、交換作業の能率化が図れる有用な発明である。
【図面の簡単な説明】
【図１】本発明構造のサイドオープンタイン本体とホールドピンの連結した状態を示す部分断面図である。
【図２】本発明構造のサイドオープンタイン本体とホールドピンの連結途中を示す部分断面図である。
【図３】本発明構造のサイドオープンタインをタインホルダーに取り付けた状態を示す正面図である。
【図４】本発明構造のサイドオープンタインとタインホルダーを分離した状態を示す正面図である。
【図５】請求項１の本発明構造の連結ピンの斜視図である。
【図６】請求項１の本発明構造の連結ピンの拡大断面図である。
【図７】請求項２の本発明構造の連結ピンの断面図である。
【図８】本発明構造の連結ピンの他の実施の形態を示す断面図である。
【図９】従来のサイドオープンタインの分解斜視図である。
【符号の説明】
１  サイドオープンタイン本体
１Ａ  サイドオープンタインの刃先
１Ｂ  サイドオープンタインの土抜き用長孔
１Ｃ  サイドオープンタインの土抜き用長孔の端部
１Ｄ  サイドオープンタインのピン挿通孔
２  ホールドピン
２Ａ  ホールドピンの取り付け軸部
２Ｂ  ホールドピンの鍔部
２Ｃ  ホールドピンの挿入軸部
２Ｄ  ホールドピンの傾斜面
２Ｅ  ホールドピンの貫通孔
２Ｆ  ホールドピンの縦孔
２Ｇ  ホールドピンの縦孔の螺孔
２Ｈ  ホールドピンの連通孔
３  連結ピン
３Ａ  連結ピンの頭部
３Ｂ  連結ピンの軸部
３Ｃ  連結ピンの凹部
３Ｄ  連結ピンのガイド溝
３Ｅ  連結ピンのガイド面
３Ｆ  連結ピンの貫通孔
３Ｇ  連結ピンの操作摘
４  タインホルダー
５  ピン
５Ａ  ピンの頭部
５Ｂ  ピンの軸部
５Ｃ  ピンの突起
６  調整ナット
７  コイルバネ
【図１】
0004170540.tif 000002
【図２】
0004170540.tif 000003
【図３】
0004170540.tif 000004
【図４】
0004170540.tif 000005
【図５】
0004170540.tif 000006
【図６】
0004170540.tif 000007
【図７】
0004170540.tif 000008
【図８】
0004170540.tif 000009
【図９】
0004170540.tif 000010